(57)【特許請求の範囲】
【請求項１】
一方の端に吸込管又はホースと接続するための接続部が形成されたパイプ部と、
塵埃を吸い込む開口縁及び該開口縁に取付けられたブラシを有し、前記パイプ部の他方の端に設けられる吸込口部と、を備え、
前記パイプ部の他方の端には、前記パイプ部の長さ方向と直交する方向の両側に突出し、突出方向から押圧されたときに前記パイプ部の内方に入り込む保持体を設け、
前記各保持体は、前記突出方向からみて４つ以上の辺を有する多角形状に形成し、
前記吸込口部には、前記パイプ部の両側となる位置で前記吸込口部の壁面に開口し、前記各保持体がそれぞれ係合される開口を設け、
前記各開口は、前記保持体の各辺のうち少なくとも互いに対向した２辺を挟持する形状を有し、
前記各保持体をそれぞれ前記開口に係合することにより前記吸込口部を前記パイプ部に着脱自在に取付け、かつ、前記開口内での前記保持体の回転角に応じて前記吸込口部の向きを選択可能な構成とした電気掃除機用吸込みアタッチメント。
【請求項２】
前記吸込口部は、両側の壁面に前記開口がそれぞれ形成されたコ字形状のケースと、弾性変形可能な材料によりコ字形状に形成され、前記吸込口部の内部に嵌め込まれる取り出し摘み部と、を備え、
前記取り出し摘み部は、前記吸込口部の内部に前記取り出し摘み部を配置したときに前記開口に嵌め込まれると共に前記開口の外側から押圧することが可能な摘み部と、前記パイプ部の保持体を前記吸込口部の開口に係合させたときに、前記開口の縁との間に前記保持体を挟持するリブと、を備え、
前記取り出し摘み部の摘み部を介して前記保持体を外側から押圧することにより前記保持体と前記開口との係合状態を解除する構成としてなる請求項１に記載の電気掃除機用吸込みアタッチメント。
【請求項３】
前記パイプ部は、外パイプと該外パイプの内部に保持された内パイプとにより伸縮自在に形成し、
前記外パイプ又は前記内パイプの端に前記保持体を設けて前記吸込口部を取付ける構成としてなる請求項１又は２に記載の電気掃除機用吸込みアタッチメント。
【発明の詳細な説明】
【技術分野】
【０００１】
本発明は、電気掃除機用の吸込みアタッチメントに関する。
【背景技術】
【０００２】
従来から、掃除機用アタッチメントは、開口縁にナイロンや馬毛などで形成されたブラシが埴毛された吸込ブラシを有する吸込口部と、電気掃除機本体に連結されたホースや延長管に接続させる接続部を有した接続管と、この接続管を吸込口部に連通させると共に、接続管が吸込口部の植毛側および背面側それぞれに回動する連結部を備えてものがある。
【０００３】
このような電気掃除機用アタッチメントは、接続管と吸込口部の取付け角度を連結部の可動により変えられるように構成されているため、例えば、床面上の掃除から高い場所の掃除をおこなう際に、連結部の角度を変えることにより、吸込みアタッチメントを別形状のアタッチメントに付け替えることなく、すばやく簡単に、床面掃除と高い場所の掃除に適した形状に切り替えることが可能である（例えば、特許文献１）。
【先行技術文献】
【特許文献】
【０００４】
【特許文献１】特開２００７−４４２６７号公報
【発明の概要】
【発明が解決しようとする課題】
【０００５】
しかしながら、従来の電気掃除機用アタッチメントは、上記のような吸込口部の角度を可変可能に構成するなど、使い勝手を向上させたものが多く開示されているが、実使用においては植毛が磨耗し短くなるため、使い続けることにより、使い勝手が悪くなっていくといった問題を抱えている。
このため、長期間使用することで磨耗したアタッチメントは、植毛部を交換する必要があるが、使い勝手を向上させるため回動構造を設けたことから、回転連結部の構造が複雑になり、使用者が自分で吸込口部の植毛を交換することが困難になるという課題を抱えていた。
【０００６】
そこで本発明は、掃除機用アタッチメントの使い勝手を向上させると共に、植毛が磨耗した際には、使用者が自ら簡単に吸込口部を交換することが出来るように構成するものであり、交換作業をメーカーに依頼をしたり、アタッチメント全体を買い換えるなどの無駄が生じない電気掃除機用アタッチメントを提供する
【課題を解決するための手段】
【０００７】
本発明に係る電気掃除機用吸込みアタッチメントは、一方の端に吸込管又はホースと接続するための接続部が形成されたパイプ部と、塵埃を吸い込む開口縁及び該開口縁に取付けられたブラシを有し、パイプ部の他方の端に設けられる吸込口部と、を備え、パイプ部の他方の端には、パイプ部の長さ方向と直交する方向の両側に突出し、突出方向から押圧されたときにパイプ部の内方に入り込む保持体を設け、各保持体は、突出方向からみて４つ以上の辺を有する多角形状に形成し、吸込口部には、パイプ部の両側となる位置で吸込口部の壁面に開口し、各保持体がそれぞれ係合される開口を設け、各開口は、保持体の各辺のうち少なくとも互いに対向した２辺を挟持する形状を有し、各保持体をそれぞれ開口に係合することにより吸込口部をパイプ部に着脱自在に取付け、かつ、開口内での保持体の回転角に応じて吸込口部の向きを選択可能な構成としている。
【発明の効果】
【０００８】
本発明によれば、アタッチメントを構成する吸込口部に設けられたブラシなどが磨耗した際に、使用者が自ら容易にパイプ部から吸込口部を取外し交換することが可能である。
これにより、使用者が吸込口部の交換作業をメーカーに依頼をしたり、アタッチメント全体を買い換えるなどの無駄が生じない電気掃除機用アタッチメントを提供することができる。
【図面の簡単な説明】
【０００９】
【図１】（ａ）アタッチメントＡを右側から見た平面図（ｂ）アタッチメントＡを背面から見た平面図（ｃ）アタッチメントＡを左側から見た平面図
【図２】アタッチメントＡが縮んだ状態を示す平面図
【図３】アタッチメントＡの分解斜視図
【図４】アタッチメントＡの分解斜視図（内パイプに吸込口部が取付けられた状態）
【図５】吸込口部の分解斜視図
【図６】（ａ）吸込口部を側面から見た平面図（ｂ）（ａ）のＸ−Ｘ断面図
【図７】（ａ）吸込口部を背面から見た平面図（ｂ）吸込口部を側面から見た平面図（ｃ）内パイプの先端側を背面から見た平面図（ｄ）内パイプの先端側を側面から見た平面図
【図８】内パイプと吸込口部の分解斜視図
【図９】図６（ａ）のＸ−Ｘ断面を模式的に示す平面図（吸込口部を取外す際の各状態（ａ）保持されている状態（ｂ）取外し可能になった状態（ｃ）外れた状態）
【図１０】内パイプと外パイプの係合状態を示す断面図
【図１１】延長管にアタッチメントが収納された状態を示す斜視図
【図１２】延長管にアタッチメントが収納された状態を示す平面図
【図１３】延長管にアタッチメントが収納された状態を示す断面図
【発明を実施するための形態】
【００１０】
実施の形態１
図面を参照して、実施の形態１について説明する。
図１〜図４を参照すると、本実施の形態における電気掃除機用の吸込みアタッチメントＡ（以下、アタッチメントＡ）は、被清掃面に近づけることにより塵埃を吸込む部位であり吸込口部１と、この吸込口部１が先端に取り付けられる内パイプ１０と、この内パイプ１０が取り付けられる外パイプ９から構成されおり、外パイプ９の内部に内パイプ１０が入り込んで出入りすることで、アタッチメントＡの全長を伸縮できるように構成されている。
【００１１】
（外パイプについて）
外パイプ９は、内部に摺動自在に内パイプ１０を保持する部材であり、掃除機本体に連結されたホースや延長管を接続する接続部９ａと、内パイプ１０の外パイプ９に対する内パイプ１０の位置を決めて摺動をロックする伸縮ロック穴９ｂと、内パイプ１０の収納状態を装着感で知らせる節度穴９ｃが形成され、アタッチメントＡを延長管２０に取り付け収納するための収納ホルダー９ｆが設けられている。
【００１２】
外パイプ９の接続部９ａの側部には、延長管２０にアタッチメントＡを取り付ける際に、アタッチメントＡと延長管２０の位置が、極力延長管側に近くなるように外パイプ９の断面形状が「Ｄ」字形状となるＤカット部９ｇが形成されている。
また、Ｄカット部９ｇの端側には、このＤカット部９ｇを形成したことにより、延長管２０の接続開口２５にアタッチメントＡの接続部９ａを挿入して接続した際に、両部材の間に隙間が極力生じないようにするため、延長管２０の内形状に合わせてシールリブ９ｈが形成されている。
【００１３】
尚、ここでいう延長管２０とは、吸引した塵埃を電気掃除機本体へ導く管路であり、電気掃除機に接続されたホースに接続され、伸縮自在に構成されているものである。また、外パイプ９は、延長管２０に接続された形態で説明しているが、直接ホースに接続して用いても良い。
【００１４】
次に、外パイプ９の接続部９ａとは反対側の端部には、内パイプ１０が挿入される開口９ｍが形成されている。また、外パイプの開口９ｍ側には、節度穴９ｃと伸縮ロック穴９ｂが形成されている。尚、節度穴９ｃは、伸縮ロック穴９ｂと開口９ｍの間に位置する。
【００１５】
次に、収納ホルダー９ｆは、パイプ取付け穴９ｉが形成されており、この取り付け穴９ｉを外に向けた状態で、外パイプの側面に形成された溝に係止して取付けられている。この収納ホルダー９ｆの先端側には、収納開口部９ｊが開口し、延長管２０の取付け爪２１が、収納開口部９ｊ差込まれて、取付け爪２１の先端部２１ａとパイプ取付け穴９ｉが係合し固定保持される（図１３参照）。
また外パイプ９には、側面から突出する振れ防止リブ９ｋが形成されており延長管２０に形成された振れ保持リブ２２と圧接することにより、アタッチメントＡを延長管２０に固定する時のふらつきを防止している。
【００１６】
次に、図１０を参照すると、伸縮ロック穴９ｂは、後述する内パイプ１０が外パイプ内部９に入り込んでいく方向側の端面９ｄが、内パイプ１０の挿入方向（図中、右方向）に傾く接合面が形成されている。
尚、本実施の形態においてこの接合面は、内パイプ１０の外パイプ９への挿入方向に垂直な線に対して、挿入方向に３０度傾いて形成されている。
これは後述するように、内パイプ１０の外パイプ９への挿入方向に加わる力よって、伸縮ロックボタン１０ａが伸縮ロック穴９ｂに係合している状態から、外パイプ９の内側に入りこまないようにするためである。
【００１７】
（内パイプについて）
次に、主に図１〜図４を参照すると、内パイプ１０には、一端側に伸縮ロックボタン１０ａと、他端側に吸込口部１を保持する保持体１０ｂと、外パイプ１０の収納状態を装着感で知らせる第１の節度リブ１０ｃと第２の節度リブ１０ｈが形成されている。
伸縮ロックボタン１０ａは、内パイプ１０の一方の側面にから突出しており、押圧された際に、内パイプ１０の内方に入り込めるように、周囲が切り欠き１０ｅが形成されている。
【００１８】
図７〜図８を参照すると、保持体１０ｂは、内パイプ１０の両側面にそれぞれ対称となるように、外方に突出した平面視略正四角形状の突出部であり、押圧された際に、内パイプ１０の内方に入り込めるように、周囲が切り欠き１０ｄが形成されている。
第１の節度リブ１０ｃは、内パイプ１０が、外パイプ９から最大突出した状態を後述する節度穴９ｃに嵌り込んだ時の節度（音や振動）を生じさせる為の突出部であり、伸縮ロックボタン１０ａの近傍に形成されている。
また、第２の節度リブ１０ｈは、内パイプ１０が、外パイプ９の一番奥まで収納された状態を、後述する節度穴９ｃに嵌り込んだ時の節度を生じさせる為の突出部であり、内パイプ１０の吸込口１が取り付けられる側に配置されている。
【００１９】
次に、内パイプ１０の第２の節度リブ１０ｈの位置より先端側には、ストッパー１０ｆが突出して設けられている。
このストッパー１０ｆは、内パイプ１０と外パイプ９を縮めた時に、外パイプ９の端面と吸込口部１の端面の隙間に、指などが挟まり怪我をするのを防止すると共に、内パイプ１０を伸ばす際の指掛かりとしても使用出来るように、節度リブ１０ｃよりも幅広く、かつ、突出して構成されている。
更に、内パイプ１０のストッパー１０ｆの位置より先端側には、押圧部１０ｇが突出して設けられている。この押圧部１０ｇは、内パイプ１０を伸ばす際に、使用者が押圧する部位であり、ストッパー１０ｆより幅広く構成されている。
【００２０】
以上のように各部が構成された内パイプ１０と外パイプ９は、次のように組合されることにより、パイプ部Ｐを構成する。
まず、内パイプ１０が外パイプ９の一番奥に内部に入り込んだ状態、つまり、アタッチメントＡが一番短い状態において、吸込口部１が取り付けられる側に形成された第２の節度リブ１０ｈが、節度穴９ｃに入り込むことで、内パイプ１０が外パイプ９の外方に突出する動きが規制され、アタッチメントＡが一番短い状態となっている。
【００２１】
次に、上記の状態から内パイプ１０が外パイプ９の外部に一番出た状態、つまり、アタッチメントＡが一番長い状態にする場合、まず、押圧部１０ｇとストッパー１０ｆに指をかけ、押圧部１０ｇを押圧することで、第２の節度リブ１０ｈが節度穴９ｃから外れ、内パイプ１０が外パイプ９の外側に突出可能になる。
そして、アタッチメントＡが最長となる位置まで、内パイプ１０が外パイプ９より突出すると、第１の節度リブ１０ｃが節度穴９ｃに入り込むと共に、伸縮ロックボタン１０ａが伸縮ロック穴９ｂに係合する。これにより、アタッチメントＡが最長の状態で、保持可能となる。
【００２２】
この時、伸縮ロックボタン１０ａの伸縮ロック穴９ｂに係合（ロック）と同時に、第１の節度リブ１０ｃが節度穴９ｃに係合することにより、伸縮ロックボタン１０ｃの変形動作が正常位置に戻るのが遅れても、第１の節度リブ１０ｃがクッションになり、正しい位置で内パイプ１０に対して外パイプ９を固定でき、アタッチメントＡを伸ばす際の動作が安定する。
【００２３】
また、上記のように伸縮ロックボタン１０ａが伸縮ロック穴９ｂに係合している状態において、伸縮ロック穴９ｂの端面９ｄが、内パイプ１０の挿入方向に傾く接合面が形成されているので、内パイプ１０の外パイプ９への挿入方向に加わる力よって、伸縮ロックボタン１０ａが伸縮ロック穴９ｂに係合している状態から、外パイプ９の内側に入り込み難く構成されている。
つまり、伸縮ロックボタン１０ａは、挿入方向に加わる力によって端面９ｄに接触するすると共に、端面９ｄを押圧する。この時、端面９ｄに内パイプ１０の挿入方向に傾く接合角度が形成されているので、伸縮ロックボタン１０ａには上方向に向く力が作用し、端面９ｄに乗り上げる。
【００２４】
よって、使用時に、内パイプ１０が外パイプ９の内部に入り込む方向に作用する力により、伸縮ロックボタン１０ａが、外パイプ９の内側に入り込まないようにでき、不意にアタッチメントＡが縮むことを防止することができる。
【００２５】
次に、上記の状態からアタッチメントＡを縮めたい場合、伸縮ロックボタン１０ａを押して、内パイプ１０の内方に入り込ませる。これにより、伸縮ロック穴９ｂの端面９ｄと伸縮ロックボタン１０ａの接合状態が解除され、内パイプ１０を外パイプ９の内部に入れ込む、つまり、アタッチメントＡの全長を縮めることが可能となる。
尚、伸縮ロックボタン１０ａの周囲には、切り欠き１０ｄが形成されているので、伸縮ロックボタン１０ａを押す方向の力に対して、伸縮ロックボタン１０ａの周囲が弾性変形しやすく、伸縮ロックボタン１０ａが内パイプ１０の内方に入り込みやすく構成されている。
【００２６】
（吸込口部について）
次に、主に図５、図７を参照すると、吸込口部１は、左右一対の壁面４ａと、この一対の壁４ａを接続する接続壁４ｂが一体に形成されたケース４と、このケース４の内方に取り付けられる取出し摘み部８で構成されている。このケース４には、「コ」の字形状の開口縁２と左右両側面開口する側面開口３（３ａ，３ｂ）が形成されている。
この開口縁２に囲まれている開口は、塵埃を被清掃面から取り込む開口であり、被清掃面上の塵埃を掻き出すと共に、家具等に傷をつけないようにする為の毛ブラシ５が植毛されている。この毛ブラシ５は、ナイロン糸や馬毛などの柔軟性のある材質で構成されている。
【００２７】
次に、側面開口３は、第１の開口３ａと第２の開口３ｂから成り、第１の開口３ａと第２の開口３ｂは、リブ３ｃにて仕切られている。この開口穴３は、ケース４の左右両側面に開口しているが、それぞれの形状は左右対称に構成されている。
次に、ケース４の内面において、側面開口３からこの側面開口３が形作る長方形の長辺方向に位置する開口縁４ｄへ至る部位には、一対の壁４ａにそれぞれ溝４ｍが形成されている。尚、開口穴３が形作る長方形は、長辺の方向が開口縁２と平行となっている。
【００２８】
次に、取り出し摘み部８は、ケース４とは別体であり、左右対称形状である一対の側壁８ａと、この一対の側壁を繋ぐ接続壁８ｂから成る平面視略「コ」字形状の部材である。
この左右の側壁８ａそれぞれには、接続壁８ｂから遠い位置側は外方向に広がる形状である摘み部８ｃと、接続壁８ｂに近い位置に外方向に突出する爪部８ｄと、この摘み部８ｃと爪部８ｄの間に凹部８ｅが形成されている。
【００２９】
また、取り出し摘み部８の内側であって、摘み部８ｃの裏側には、凹部８ｅ側から摘み部８ｃ方向に向かってリブ８ｆが立設して形成されている。
尚、取り出し摘み部８は、一対の摘み部８ｃを指で摘むことで、内側に撓むように弾性変形可能に形成されている。
【００３０】
図５を参照すると、以上のように構成された取出し摘み部８は、次のようにケース４に取り付けられる。
取り出し摘み部８は、接続壁８ｂ側から、一対の側壁８ａが互いに近づく方向に窄められながら、ケース４の開口縁４ｄ側から溝４ｍの内部に挿入される。
そして、ケース４の内部に挿入された取出し摘み部８は、ケース４の側面開口３の位置まで挿入されることで、自らの復元力で側壁８ａが左右方向に広がり、側面開口３に嵌り込む。この時、第１の開口３ｂには、摘み部８ｃが嵌り込み、第２の開口３ａには爪部８ｄが嵌り込む。
つまり、取り出し摘み部８は、ケース４の内部側から側面開口３に取付けられる。
【００３１】
このように各部が位置することで、取出し摘み部８の凹部８ｅに、リブ３ｃが嵌り込むことになり、取出し摘み部８はケース４に取り付けられる。尚、この状態において、摘み部８ｃは開口３ｂに位置しているので、押圧することにより、取出し摘み部８の側壁８ａを撓ませることができる。
（内パイプへ吸込口部を取付ける動作）
【００３２】
図８を参照すると、以上のように構成された吸込口部１は、次のようにパイプ部Ｐを構成する内パイプ１０に取り付けられる。
まず、内パイプ１０の一対の保持体１０ｂが、それぞれケース４の開口縁４ｄ側から溝４ｍの内部に挿入される。
この時、向かい合う開口縁４ｄの開口幅ｄ１は、一対の保持体１０ｂのそれぞれの先端同士の間の幅ｄ２（図７参照）より狭いため、保持体１０ｂは内パイプ１０の内方に押圧された状態で溝４ｍの内部を進む。
【００３３】
尚、保持体１０ｂを構成する向かい合う辺の間の寸法は、溝４ｍの幅と略一致するように構成されており、溝４ｍ内部を保持体１０ｂが移動可能に構成されている。
また、保持体１０ｂの周囲には、切り欠き部１０ｄが形成されているため、保持体１０ｂが押される方向に対して、保持体１０ｂの周囲が弾性変形しやすく、保持体１０ｂが内パイプ１０の内方に入り込みやすく構成されている。
【００３４】
そして、溝４ｍを押圧された状態で吸込口部１の内部進んだ保持体１０ｂは、ケース４に形成された側面開口３までくることで、自らの弾性力で側面開口３内に突出し、側面開口３内部に保持される。
この時、図５、図８を参照すると、保持体１０ｂは、側面開口３の内部において、挿入方向は、取り出し摘み部８のリブ８ｆと挿入側縁３ｅに挟まれ、挿入方向に対して直角な方向は、上縁３ｄとした縁３ｆに挟まれ、保持体１０ｂの４辺がそれぞれ挟持された状態で取り付けられている。
【００３５】
また、保持体１０ｂの内パイプ１０からの突出方向の端は、取り出し摘み部８の摘み部８ｃの裏側に接した状態となっている。
つまり、吸込口部１は、取り出し摘み部８で一対の保持体１０ｂを挟みこんだ状態で、内パイプ１０に取り付けられており、摘み部８ｃを押圧することで、保持体１０ｂを押圧可能に配置されている。
【００３６】
以上、内パイプ１０に対する吸込口部１の取り付けについて説明したが、保持体１０ｂの突出方向から見た形状（平面視形状）が正四角形に構成されていることから、図８で示す内パイプ１０への吸込口部１の取付け状態から、内パイプ１０を、保持体１０ｂを中心に９０度回転（図の場合、左回転）させた状態でも、吸込口部１を内パイプ９０に取付けることが可能である（例えば、図２の状態）。
【００３７】
このように、吸込口部１を２通りの向きに取付けることができるので、塵埃を被清掃部から取り込む開口を形成する開口縁２の向きを用途に合わせて選ぶことが可能となる。
具体的には、図１のように、アタッチメントＡの伸縮方向に開口縁２の向くように吸込口部１を内パイプ１０に取付ければ、床面などを清掃するのに適した形態とすることができる。
また、アタッチメントＡの伸縮方向に対して、垂直な方向に開口縁２が向くように吸込口部１を内パイプ１０に取付ければ、持ち手位置よりも高い場所に対し、吸込口部１の毛ブラシが平行に向くため、棚の上や照明器具などの高所を清掃するのに適した形状とすることができる。
【００３８】
尚、本実施の形態において、保持体１０ｂの平面視の形状は正四角形のものを用いて説明したが、この形状に限るものではない。例えば、正六角形・正８角形・・・など、保持体１０ｂの向きを替えて吸込口部１を取付けた際に、保持体１０ｂの対向する辺と辺の間の間隔幅が、溝部４ｍの幅に対して挿入可能であれば良い。
このように、保持体１０ｂの平面視形状を多角形化することにより、より吸込口部１の向く方向を選択可能に構成することができる。
【００３９】
（内パイプから吸込口部を外す動作）
次に、図９を参照すると、内パイプ１０から吸込口部１を取外す際の動作を説明する。
まず、一対の摘み部８ｃを両側からそれぞれ摘んで押圧することで、一対の保持体１０ｂはそれぞれ摘み部８ｃに押圧される。すると、保持体１０ｂは、内パイプ１０の内方入り込むように弾性変形し、挿入側縁３ｅの取外し方向（図中、下方向）に対向しない位置まで移動し、側面開口３の縁から外れ、保持体１０ｂと側面開口３との係合状態が解除される。つまり、保持体１０ｂは、側面開口３内部から摘み部８ｃに押し出され、保持体１０ｂと側面開口３との係合状態（保持状態）が解除される。
この状態で、溝４ｍ方向に内パイプ１０を引くことで、内パイプ１０から吸込口部１を取外すことができる。
【００４０】
従って、本発明によれば、吸込口部１を異なる向きに取付けることが可能に構成できると共に、吸込口部１に設けられたブラシなどが磨耗した際に、使用者が自ら容易に吸込口部１を取外し交換することが可能である。
これにより、使用者が吸込口部１の交換作業をメーカーに依頼をしたり、アタッチメント全体を買い換えるなどの無駄が生じない電気掃除機用アタッチメントを提供することができる。
【００４１】
また、本実施の形態のように、取出し摘み部８をケース４とは別部材で構成することにより、保持体１０ｂを押圧する際に、取り出し摘み部８だけを撓ませるだけで、吸込口部１を取外し可能な状態にすることができる。
つまり、ケース４全体を撓ませることなく、より小さな部分のみを撓ませることから、より小さな力で、吸込口部１の取り出しを行うことができる。
【００４２】
以上、伸縮自在に構成されたパイプ部Ｐに対して、吸込口部１が着脱自在に構成された形態を説明したが、パイプ部Ｐは伸縮しないものでも良い。
また、吸込口部１が内パイプ１０に対して着脱自在に構成された形態を説明したが、外パイプ９に対して内パイプ１０が出入り自在に設けられ、アタッチメントＡが伸縮自在であれば、吸込口部１を外パイプ９に対して着脱自在に構成しても良い。
この場合、延長管２０又はホースへの接続部は、内パイプ１０に形成される。
【００４３】
次に、清掃終了後、アタッチメントＡを収納するときの動作について説明する。
まず、電気掃除機本体に接続されたホース、又は、このホースに接続された延長管２０に接続されているアタッチメントＡを、これらの部位との接続を解除する接続解除ボタンを操作することにより、アタッチメントＡを取外す。
次に、伸縮ロックボタン１０ａを押圧して内パイプ１０の内方に凹ませることで、伸縮ロックボタン１０ａを収縮ロック穴９ｂから退避させて、内パイプ１０と外パイプ９の係合状態を解除する。
【００４４】
そして、内パイプ１０を外パイプ９の内方に入れ込むことで、アタッチメントＡの全長を縮めることができる。この時、内パイプ１０には、ストッパー１０ｆが設けられているので、このストッパー１０ｆに外パイプ９の端面９ｒが接することで、端面９ｒと吸込口部１の端面１ｒとの間に隙間が形成され、端面９ｒと端面１ｒの間に、指を挟むことを防止することができる。
更に、内パイプ１０を縮めた状態では、節度リブ１０ｈが節度穴９ｃに挿入保持されるので、アタッチメントＡが縮められた状態から不用意に内パイプ１０が外パイプ９から出ることを防止することができる。
【００４５】
そして、図１１〜図１３を参照すると、以上のように全体が小さくなるように縮められたアタッチメントＡは、次のように延長管２０に取り付けることで、未使用時に延長管２０と一体的に収納可能となる。
アタッチメントＡは、延長管２０の取付け爪２１がアタッチメントＡの収納ホルダー９ｆに差込まれる状態で保持される。これにより、アタッチメントＡは、延長管２０の側面に固定保持される構造となっている。
【００４６】
具体的に説明すると、外パイプ９の側面には、パイプ取付け穴９ｉが形成された収納ホルダー９ｆが、外パイプ９の側面に形成された溝に取付けられている。
この収納ホルダー９ｆの先端側に形成された収納開口部９ｊには、延長管２０の取付け爪２１が差込まれ、取付け爪２１の先端部２１ａがパイプ取付け穴９ｉと係合し、固定保持される。
【００４７】
また、外パイプの側面に設けられた振れ防止リブ９ｋに、延長管２０の振れ保持リブ２２が係合することで、アタッチメントＡの固定時のふらつきを防止している。つまり、アタッチメントＡは、前後２点で延長管２０に保持されるので、収納状態が安定し掃除中に外れることがない。
【００４８】
また、アタッチメントＡがより延長管２０に安定して取付けられるように、外パイプ９の側面はＤカット形状になっており、アタッチメントＡと延長管２０の距離が近くなるように構成されている。これにより、より小さいスペースで、アタッチメントＡを吸込管２０に保持しておくことができる。
【００４９】
また、接続部９ａには、延長管２０やホースなどに、挿入嵌合された状態で、挿入穴部から隙間が出来ないように、Ｄカットの一部分を円筒状に構成したシールリブ９ｈが形成されている。これにより、より小さいスペースで、アタッチメントＡを吸込管２０に保持しておくことができると共に、使用時の吸引力低下を防止することができる。
【符号の説明】
【００５０】
１  吸込口部
２  開口縁
３  側面開口
４  ケース
５  ブラシ
８  取り出し摘み部
９  外パイプ
１０  内パイプ
１０ｂ保持体
２０  延長管
２５  接続開口
Ａ  アタッチメント
Ｐ  パイプ部
【図１】
0005625529.tif 000002
【図２】
0005625529.tif 000003
【図３】
0005625529.tif 000004
【図４】
0005625529.tif 000005
【図５】
0005625529.tif 000006
【図６】
0005625529.tif 000007
【図７】
0005625529.tif 000008
【図８】
0005625529.tif 000009
【図９】
0005625529.tif 000010
【図１０】
0005625529.tif 000011
【図１１】
0005625529.tif 000012
【図１２】
0005625529.tif 000013
【図１３】
0005625529.tif 000014